(57)【特許請求の範囲】
【請求項１】
車両の運転席に対向する面である表示面を有する板部材と、
前記表示面に開口するように前記板部材に形成された複数の貫通孔と、
前記複数の貫通孔の前記表示面に開口する開口端と反対側の端部に前記貫通孔の前記開口端に向けて光を照射可能に配置された複数の光源と、を備えた車両用表示装置であって、
前記複数の光源は多数の輝点の集合により前記表示面に情報を形成し、
前記複数の貫通孔はその軸方向を運転席に着座した運転者の視認方向に一致させて形成され、
各前記光源の各出射面は車両用表示装置の使用状態における垂直上向き方向に露出せず、
前記複数の貫通孔の前記開口端と複数の前記光源の前記出射面との間には前記複数の貫通孔の筒状壁部が介在していることを特徴とする車両用表示装置。
【請求項２】
前記複数の貫通孔はそれらの各軸が運転席近傍の空間内の一点を中心とする放射状をなすように形成されることを特徴とする請求項１に記載の車両用表示装置。
【請求項３】
前記中心は運転席に着座した運転者の目の位置を表すアイポイントであることを特徴とする請求項１または請求項２のどちらか一つに記載の車両用表示装置。
【請求項４】
前記板部材は前記中心の位置を変化させるように回転運動自在に保持されていることを特徴とする請求項２または請求項３のどちらか一つに記載の車両用表示装置。
【請求項５】
前記出射面に前記出射面から出射された光の光路を前記軸に沿う方向に近づけるように修正する光学部材を配置したことを特徴とする請求項１ないし請求項４のいずれか一つに記載の車両用表示装置。
【請求項６】
前記光学部材は凸レンズであることを特徴とする請求項５に記載の車両用表示装置。
【請求項７】
前記板部材の前記表示面に前記複数の貫通孔の前記開口端を覆うように光透過率制御部材を配置したことを特徴とする請求項１ないし請求項６のいずれか一つに記載の車両用表示装置。
【請求項８】
前記光透過率制御部材はスモーク調シートであることを特徴とする請求項7に記載の車両用表示装置。
【発明の詳細な説明】
【技術分野】
【０００１】
本発明は、例えば、自動車に搭載される車両用表示装置に関する。
【背景技術】
【０００２】
従来の車両用表示装置として、たとえば、光源と、画像を形成する画像形成手段と、画像形成手段を透過した光源からの光により画像の投影画像が結像される曲面状のスクリーンとを備える車両用表示装置であって、このスクリーン形状を、当該表示装置が組み込まれている部材を含めた周囲の部材、例えば、自動車の車室内前方の設置されるインストルメントパネル等と意匠的に連続させる車両用表示装置が知られている（特許文献１参照）。
【０００３】
これにより、インストルメントパネルに埋め込まれる一般的なコンビネーションメータのような車両用表示装置と比較すると、インストルメントパネルの表面から突出する突起物のない車両用表示装置とすることができ、インストルメントパネルの造形の自由度を高めることができる。
【特許文献１】特開２００５−１８６７８４号公報
【発明の開示】
【発明が解決しようとする課題】
【０００４】
一般に自動車において、インストルメントパネルはフロントウィンドシールドの下端に隣接するようにして配置されている。一方、上記した従来の車両用表示装置は、スクリーンがインストルメントパネルの表面と連続させるように形成されているため、スクリーンに表示される画像がインストルメントパネルの周辺にあるフロントウィンドシールドに映る（これを窓映りという）可能性がある。
【０００５】
フロントウィンドシールドにスクリーンに表示される画像が映ると、運転者が外の状況を見難くなるという問題がある。
【０００６】
本発明は、車室内の造形の自由度を高めつつ、フロントウィンドシールドに表示面に表示される画像が映ることを抑制できる車両用表示装置を提供することを目的とする。
【課題を解決するための手段】
【０００７】
本発明の請求項１に記載の発明による車両用表示装置は、車両の運転席に対向する面である表示面を有する板部材と、表示面に開口するように板部材に形成された複数の貫通孔と、複数の貫通孔の表示面に開口する開口端と反対側の端部に貫通孔の開口端に向けて光を照射可能に配置された複数の光源と、を備えた車両用表示装置であって、複数の光源は多数の輝点の集合により表示面に情報を形成し、複数の貫通孔はその軸方向を運転席に着座した運転者の視認方向に一致させて形成され、各光源の各出射面は車両用表示装置の使用状態における垂直上向き方向に露出せず、複数の貫通孔の開口端と複数の光源の出射面との間には複数の貫通孔の筒状壁部が介在していることを特徴としている。
【０００８】
車両用表示装置は運転席と対向して、言い換えると運転席前方に配置されている。また運転席前方にはフロントウィンドシールドが配置され、車両用表示装置はこのフロントウィンドシールドの下方に位置している。
【０００９】
本発明の請求項１に記載の車両用表示装置によれば、光源の出射面は車両用表示装置の使用状態における垂直上向き方向に露出していない、つまり、光源の出射面は貫通孔内にありフロントウィンドシールド側からは見えないことになる。このため、光源から出射し且つ直接貫通孔の開口端である表示面の開口端を経てフロントウィンドシールドへ入射する光はない。
【００１０】
上述の構成によれば、光源の出射面から出射した光は、貫通孔の筒状壁部に囲まれた空間を進行した後開口端から出射する。光源の出射面からは光が放射状に照射されている。この光のうち、貫通孔の軸と平行な方向に進行する光は、貫通孔の筒状壁部に入射することなく開口端を出て運転者の目に向かって進行する。一方、貫通孔の軸と平行ではない方向に進行する光は、貫通孔の筒状壁部に入射しそこで反射する。したがって、貫通孔の軸と平行ではない方向に進行する光源からの光は、貫通孔の筒状壁部での反射を一回して、あるいは複数回繰り返して、開口端から運転者の目とは異なる方向へ出射する。
【００１１】
ここで、貫通孔の軸と平行な方向に進行し開口端から運転者の目に向かう光は、運転者の目に届くまでに一回も筒状壁部で反射していないので光量の減衰がほとんど生じず明るく視認される。一方、貫通孔の筒状壁部において入射反射した光は光量の一部が筒状壁部に吸収されるため光量が減衰する。
【００１２】
すなわち、本発明の請求項１に記載の発明による車両用表示装置の構成においては、光源から出射した光のうち、貫通孔の軸と平行な方向に進行する光、言い換えると運転者の視認方向に進む光は途中で減衰することなく運転者の目に届く。一方、光源から貫通孔の軸と平行でない方向に出射した光、言い換えると運転者の視認方向とは異なる方向に進む光は、貫通孔の筒状壁部において入射反射を繰り返すことにより減衰して光量が低下する。このため、表示面の開口端からフロントウィンドシールドへ向かって出射する光である拡散光の光量は極わずかとなる。
【００１３】
以上により、本発明の請求項１に記載の車両用表示装置によれば、光源から出射し且つ直接貫通孔の開口である表示面の開口端を経てフロントウィンドシールドへ入射する光をなくすとともに、表示面の開口端からフロントウィンドシールドへ向かって出射する光である拡散光の光量は低減することができる。これにより、フロントウィンドシールドに表示面に表示される画像が映ることを抑制できる車両用表示装置を提供することができる。
【００１４】
本発明の請求項２に記載の車両用表示装置は、複数の貫通孔はそれらの各軸が運転席近傍の空間内の一点を中心とする放射状をなすように形成されることを特徴としている。
【００１５】
このような構成によれば、表示板に形成された全ての複数の貫通孔の開口端と反対側の端部に配置された光源からの光が運転席近傍の空間内の一点に集束することになる。この一点にたとえば運転者の目があれば、運転者は、全ての貫通孔からの光を明瞭に視認することができる。すなわち、各貫通孔が備える光源の点灯／消灯を制御することにより表示面に形成される発光図形や発光文字を運転者に明瞭に視認させることができる。
【００１６】
したがって、フロントウィンドシールドに表示面に表示される画像が映ることを抑制しつつ、表示面に表示される画像を運転者に明瞭に視認させることが可能な車両用表示装置を提供することができる。
【００１７】
この場合、本発明の請求項３に記載の車両用表示装置のように、中心は運転席に着座した運転者の目の位置を表すアイポイントであるような構成とすれば、確実に、表示面に表示される画像を運転者に明瞭に視認させることが可能な車両用表示装置を実現できる。
【００１８】
本発明の請求項４に記載の車両用表示装置は、板部材は中心の位置を変化させるように回転運動自在に保持されていることを特徴としている。
【００１９】
このような構成によれば、複数の貫通孔からの光の集束点である中心位置が運転者の合いレンジの中心からずれていた場合に、板部材を回転運動させて中心の位置を変える、すなわち光の集束点を現在の運転者のアイポイント位置に一致させることが可能になる。
【００２０】
これにより、アイポイント位置が異なる複数の運転者が乗車する場合でも、光の集束点を此処の運転者のアイポイントに光の集束点を一致させて表示面に表示される画像を運転者に明瞭に視認させることが可能な車両用表示装置を提供することができる。
【００２１】
本発明の請求項５に記載の車両用表示装置は、出射面に出射面から出射された光の光路を軸に沿う方向に近づけるように修正する光学部材を配置したことを特徴としている。
【００２２】
このような構成によれば、光源の出射面から出射した光のうち、貫通孔の軸と平行ではない方向へ進行する光の光路を光学部材により貫通孔の軸と平行な方向に屈折させることができる。これにより、光源の出射面から出射し直接運転者の視認方向に進行する光の光量を増やすことができ、表示面に表示される画像の輝度を高めることができる。
【００２３】
この場合、本発明の請求項６に記載の車両用表示装置のように、光学部材は凸レンズであるような構成とすれば、光学部材の体格を小型化しつつ、光源の出射面から出射し直接運転者の視認方向に進行する光の光量を増やすことができる。
【００２４】
本発明の請求項７に記載の車両用表示装置は、板部材の表示面に複数の貫通孔の開口端を覆うように光透過率制御部材を配置したことを特徴としている。
【００２５】
このような構成によれば、貫通孔は、光源が発する光を開口端から運転者へ向けて出射可能であると同時に光透過率制御部材により密閉されることになる。光透過率制御部材が無い場合は、貫通孔の内部空間と自動車の室内空間とは連通しているため、車室内の異物、たとえば塵埃や水分（水蒸気、微細水滴等）が貫通孔内へ進入し堆積する恐れがある。そうすると、光源からの光の一部が貫通孔内に堆積した異物に吸収遮断されて、表示面の発光輝度が低下する、あるいは不均一になる等の問題が生じる恐れがある。そこで、本発明の請求項７に記載の車両用表示装置のように貫通孔の開口端を覆うように光透過率制御部材を配置すれば、車室内の異物が貫通孔内へ進入することを阻止して表示面の発光輝度が低下する、あるいは不均一になることを防止できる。さらに、光透過率制御部材の光透過率を適宜設定すれば、光源が消灯状態であるときにおいて貫通孔の開口端の輪郭を目立たなくして、表示面の見映えを斬新なものとすることができる。
【００２６】
この場合、本発明の請求項８に記載の車両用表示装置のように、光透過率制御部材はスモーク調シートから形成されるような構成とすれば、車室内の異物が貫通孔内へ進入することを阻止して表示面の発光輝度が低下する、あるいは不均一になることを防止しつつ、光源が消灯状態であるときには貫通孔の開口端の輪郭を目立たなくして、あたかも表示装置が存在しないかのような見映えとして、作動時と非作動時とで全く異なる見映えが得られる車両用表示装置を提供できる。
【発明を実施するための最良の形態】
【００２７】
以下、本発明の車両用表示装置を車室内前方に設置されるインストルメントパネル２０と一体的に形成された表示装置１０に適用した場合を例に、図面に基づいて説明する。
【００２８】
（第１実施形態）
インストルメントパネル２０は、自動車の車室内の前方且つフロントウィンドシールド３０の下方に設置されている。インストルメントパネル２０の自動車前後方向における前端は、図１に示すように、フロントウィンドシールド３０の下端と接している。すなわち、フロントウィンドシールド３０は、図２に示すように、インストルメントパネル２０の前端側から自動車前後方向後方側へ向かってインストルメントパネル２０に覆い被さるように配置されている。車室内には、図1に示すように、インストルメントパネル２０に対向して運転席４０が設置されている。また、インストルメントパネル２０と運転席４０との間には、図1に示すように、ステアリングホイール５０が設置されている。
【００２９】
本発明の第１実施形態による表示装置１０は、インストルメントパネル２０のうちで、図１中において、一点鎖線で示す領域Ａ内に形成されている。しかし、表示装置１０は、その外見はインストルメントパネル２０そのものであり、表示装置１０の非作動状態においては、ただのインストルメントパネル２０としか見えない。以下に、表示装置１０の構成について説明する。
【００３０】
表示装置１０は、表示面１１ａを有する板部材としての表示板１１、表示板１１に形成された複数の貫通孔１２の表示面１１ａと反対側の端部に配置された光源としての発光ダイオード１３、表示面１１ａに各貫通孔１２を覆うように設けられている光透過率制御部材としてのスモーク調シート１５、各発光ダイオード１３の点灯・消灯を制御して表示面１１ａ上に形成される多数の輝点の集合により情報、たとえば自動車の走行速度、ナビゲーションシステムによる進路指示等を表示する制御回路（図示せず）等から構成されている。
【００３１】
表示板１１は、たとえば樹脂材質から形成されている。表示板１１には、複数の貫通孔１２が設けられている。貫通孔１２は、図２に示すように、その一端を表示面１１ａに開口させて形成されている。表示面１１ａ上における貫通孔１２の開口端が開口窓１２ａを形成している。すなわち、表示装置１０は、複数の貫通孔１２の集合体として形成されている。表示板１１は、自動車の横幅いっぱいに形成され、インストルメントパネル２０と一体的に形成されている。言い換えると、インストルメントパネル２０を構成する表示板１１において、複数の貫通孔１２が形成されている領域が表示装置１０となっている。そして、表示板１１の複数の貫通孔１２が形成されている領域の表面が表示面１１ａである。貫通孔１２の開口窓１２ａと反対側の端部には、光源である発光ダイオード１３が配置されている。発光ダイオード１３は、それが発する光が貫通孔１２を通って開口窓１２ａの外へ進行するように、つまり、発光ダイオード１３の出射面１３ａを貫通孔１２の開口窓１２ａ側へ向けて配置されている。本発明の第１実施形態による表示装置１０では、貫通孔１２は、その軸方向に直交する方向における断面形状が円形に形成されている。貫通孔１２は、その中心軸Ｃが運転席近傍の空間内の一点、詳しくは、運転席４０に着座した運転者（図示せず）の目の位置を表す点であるアイポイントＥ、を通るように設定されている。アイポイントＥは、たとえば、運転者の目の位置の分布を統計的に表したアイレンジの中心位置が選択されている。貫通孔１２は複数個が設けられているので、各貫通孔１２は、図２および図３に示すように、それぞれの中心軸ＣがアイポイントＥを中心とする放射線状をなすようにして形成されている。すなわち、本発明の第１実施形態による表示装置１０においては、全ての貫通孔１２の中心軸ＣがアイポイントＥに集束するように設定されている。発光ダイオード１３は、その光軸を貫通孔１２の中心軸Ｃと一致させて取り付けられている。したがって、発光ダイオード１３からその光軸方向に発せられた光はアイポイントＥへ向かって進むことになる。各発光ダイオード１３は、図２に示すように、回路基板１４に実装されている。回路基板１４としては、たとえばガラスエポキシ樹脂板等を用いたソリッド状のプリント基板が用いられている。回路基板１４は、図２に示すように、列ごとに（図２中において紙面直交方向に伸びるような）共通の基板が用いられて、各発光ダイオード１３の実装面を貫通孔１２の中心軸Ｃと直交するような姿勢に保持している。なお、回路基板１４として、シート状のフレキシブルプリント基板を用いることも可能である。その場合、フレキシブルプリント基板は容易に折り曲げ可能であるので、各発光ダイオード１３の実装面を貫通孔１２の中心軸Ｃと直交するような姿勢に固定することが容易に実現できる。貫通孔１２において、発光ダイオード１３の出射面１３ａから開口窓１２ａへ到る部分には、図２に示すように、筒状壁部１２ｂが存在している。筒状壁部１２ｂは、全周にわたって連続している完全な円筒面を成している。貫通孔１２において、発光ダイオード１３の出射面１３ａから開口窓１２ａへ到る部分に筒状壁部１２ｂを設けたことにより、出射面１３ａは、表示装置１０の使用状態における垂直上向き方向、つまり、図２における上下方向の上向きに露出していない。
【００３２】
表示板１１の開口窓１２ａ側の表面には、光透過率制御部材であるスモーク調シート６０が密着固定されている。スモーク調シート６０は、たとえば海老茶色等の暗色系で着色された樹脂製の透光性シートから形成されている。スモーク調シート６０は、表示装置１０の前面だけではなく、すなわち、図１における表示領域Ａだけではなく、インストルメントパネル２０全体を覆うように設置されている。これにより、表示装置１０の作動時においては、発光ダイオード１３が点灯状態である貫通孔１２の開口窓１２ａは発光ダイオード１３から発せられる光がスモーク調シート６０を透過して視認され、表示装置１０の存在が運転者に認識される。一方、表示装置１０が作動していないとき、つまり発光ダイオード１３が一個も点灯していないときには、運転者がインストルメントパネル２０を見ると、インストルメントパネル２０のみが視認されて、表示装置１０はあたかも存在しないかのような見映えとなる。
【００３３】
次に、以上説明した本発明の第１実施形態による表示装置１０の特徴である表示板１１の構成、すなわち、複数の貫通孔１２は、その中心軸Ｃが運転席近傍の空間内の一点であるアイポイントＥを通るように設定されていること、および、貫通孔１２において発光ダイオード１３の出射面１３ａから開口窓１２ａへ到る部分に筒状壁部１２ｂを設けて、出射面１３ａを、表示装置１０の使用状態における垂直上向き方向に露出させないようにしたこと、による作用・効果について説明する。
【００３４】
本発明の第１実施形態による表示装置１０によれば、発光ダイオード１３の出射面１３ａは表示装置１０の使用状態、すなわち自動車へ搭載された状態における垂直上向き方向に露出していない。さらに、発光ダイオード１３の出射面１３ａから貫通孔１２の開口端である開口窓１２ａへ到る部分には、図２に示すように、筒状壁部１２ｂが存在し、筒状壁部１２ｂは、全周にわたって連続している完全な円筒面を成している。これにより、発光ダイオード１３の出射面１３ａは貫通孔１２内にありフロントウィンドシールド３０側からは見えないことになる。言い換えると、発光ダイオード１３から出射し且つ直接貫通孔１２の開口窓１２ａから出射してフロントウィンドシールド３０へ入射する光はない。したがって、発光ダイオード１３から発せられた光が直接フロントウィンドシールド３０へ入射して、それによりフロントウィンドシールド３０上に反射虚像が形成され運転者の前方視界の妨げになることを防止することができる。
【００３５】
また、上述の構成によれば、発光ダイオード１３の出射面１３ａから出射した光のうち、貫通孔１２の中心軸Ｃと平行ではない方向に進行する光は、貫通孔１２の筒状壁部１２ｂに入射しそこで反射する。そして、筒状壁部１２ｂへの入射および反射を何回か繰り返した後に開口窓１２ａから放射状に出射する。この光の出射方向がフロントウィンドシールド３０へ向かう場合もある。しかし、この光は、筒状壁部１２ｂへの入射および反射を繰り返すことにより光量が減衰する。したがって、この光がフロントウィンドシールド３０へ入射しても、それによりフロントウィンドシールド３０上に形成される反射虚像が暗くなり運転者がそれを明確に視認することはない。すなわち、この反射虚像が運転者の前方視界の妨げになることを防止することができる。また、開口窓１２ａから放射状に出射される光の光量を減衰させることができるので、発光ダイオード１３が点灯されている開口窓１２ａの輪郭形状を明瞭に視認させることができる。
【００３６】
以上により本発明の第１実施形態による表示装置１０によれば、フロントウィンドシールド３０に表示装置１０の表示面１１ａ上に形成される画像が映る、つまり表示面１１ａ上に形成される画像の反射虚像が形成されることを抑制可能な表示装置１０を提供することができる。
【００３７】
また、本発明の第１実施形態による表示装置１０では、表示板１１に形成されている全ての貫通孔１２の中心軸Ｃが運転席４０近傍のアイポイントＥに集束するように設定されている。すなわち、全ての開口窓１２ａから出射される発光ダイオード１３の光軸上を進行する光がアイポイントに集束する。これにより、運転者が表示板１１を見たときに、発光表示されている画像を形成する開口窓１２ａの発光輝度が均一なものとなる。したがって、表示装置１０において発光表示される画像の見映えを良好なものとすることができる。
【００３８】
また、本発明の第１実施形態による表示装置１０においては、表示板１１の開口窓１２ａ側の表面にスモーク調シート１５を密着固定している。スモーク調シート６０は、表示装置１０の前面、すなわち、図１における表示領域Ａだけではなく、インストルメントパネル２０全体を覆うように設けられている。これにより、表示装置１０の作動時においては、発光ダイオード１３が点灯状態である貫通孔１２の開口窓１２ａは発光ダイオード１３から発せられる光がスモーク調シート６０を透過して視認され、表示装置１０の存在が運転者に認識される。一方、表示装置１０が作動していないとき、つまり発光ダイオード１３が一個も点灯していないときには、運転者がインストルメントパネル２０を見ると、インストルメントパネル２０のみが視認されて、表示装置１０はあたかも存在しないかのような見映えとなる。したがって、作動時および非作動時とで見映えが異なる、言い換えると非作動時にはあたかもインストルメントパネル２０のみで表示装置１０が存在しないかのような見映えを提供することができる。
【００３９】
（第２実施形態）
本発明の第２実施形態による表示装置１０は、本発明の第１実施形態による表示装置１０に対して発光ダイオード１３の出射面１３ａに光学部材である凸レンズ１６を配置したものである。すなわち、図４に示すように、発光ダイオード１３の出射面１３ａに密着させて貫通孔１２内に凸レンズ１６を配置している。凸レンズ１６は、透光性材質、たとえばガラスあるいは樹脂から形成されている。
【００４０】
発光ダイオード１３の出射面１３ａに凸レンズ１６を設けることにより、出射面１３ａから放射状に発射された光を、図４中の矢印で示すように貫通孔１２の中心軸Ｃに沿う方向へ向けて屈折させて、貫通孔１２の中心軸Ｃと平行な方向に進む光、すなわちアイポイントＥへ向かって進む光の光量を増加させることができる。したがって、表示装置１０の発光輝度を高めて、表示装置１０の視認性を向上させることができる。
【００４１】
（第３実施形態）
本発明の第３実施形態による表示装置１０は、本発明の第１実施形態による表示装置１０に対して表示板１１の構成を変更したものである。すなわち、表示板１１形状を、図１中に示す表示領域Ａに対応する形状としている。したがって、インストルメントパネル２０における表示装置１０の外側の部分は、表示板１１とは別の部材から構成されている。
【００４２】
表示板１１は、図５に示す軸である回転軸Ｓの周りに回転自在に保持されている。すなわち、表示板１１は、回転軸Ｓを回転中心として、図５中に矢印ＸＸで示す方向に回転することができる。スモーク調シート６０は、表示板１１の外周に沿って分割されており、表示板１１の回転運動がスモーク調シート６０により妨げられることはない。表示板１１が回転軸Ｓの周りに回転すると、それに対応して、貫通孔１２の中心軸Ｃの集束点であるアイポイントＥの位置が、図５中に矢印ＹＹで示すように移動する。すなわち、本発明の第３実施形態による表示装置１０では、表示板１１を回転移動させることにより表示装置１０のアイポイントＥ位置を変えることができる。これにより、着座状態における目の位置が異なる複数の運転者が順次運転する場合、表示装置１０のアイポイントＥを各運転者の着座状態における目の位置に一致するように調整することができる。したがって、体格の異なる運転者に対して常に最良の視認性が得られるように調整可能な表示装置１０を提供することができる。
【００４３】
なお、表示板１１の回転移動は、図示しない手動駆動機構を用いる構成としてもよいし、あるいは、モータ、リニアソレノイド、ロータリソレノイド等の電磁アクチュエータをもちいる機械駆動機構を用いる構成としてもよい。
【図面の簡単な説明】
【００４４】
【図１】本発明の第１実施形態による表示装置１０の正面図である。
【図２】図１中のＩＩ−ＩＩ線断面図である。
【図３】図２中のＩＩＩ−ＩＩＩ線断面図である。
【図４】本発明の第２実施形態による表示装置１０の部分断面図である。
【図５】本発明の第２実施形態による表示装置１０の断面図である。
【符号の説明】
【００４５】
１０    表示装置
１１    表示板
１２    貫通孔
１２ａ    開口窓（開口端）
１２ｂ    筒状壁部
１３    発光ダイオード（光源）
１３ａ    出射面
１４    回路基板
１５    スモーク調シート（光透過率制御部材）
１６    凸レンズ（光学部材）
２０    インストルメントパネル
３０    フロントウィンドシールド
４０    運転席
５０    ステアリングホイール
６０    スモーク調シート（光透過率制御部材）
Ａ    表示領域
Ｃ    中心軸
Ｅ    アイポイント（一点）
Ｓ    回転軸（軸）
【図１】
0004985481.tif 000002
【図２】
0004985481.tif 000003
【図３】
0004985481.tif 000004
【図４】
0004985481.tif 000005
【図５】
0004985481.tif 000006